(57)【要約】  本発明は、ディスプレイ調光方法、装置、記憶媒体及びデバイスに関し、前記方法は、調整の必要があるディスプレイの輝度と対応する前記ディスプレイのパラメータ値を取得することと、前記パラメータ値と設定された閾値とを比較して、比較結果に応じて対応する調光方法を選択し前記ディスプレイに対し調光すること、を含む。上記ディスプレイ調光方法において、比較結果に応じて対応する調光方法を選択するから、１つの調光方法のみを選択できる調光方法による欠陥を改善することができ、さらに調光する際に表示品質に対する影響を低減することができる。
2020507116.tif 000002
【特許請求の範囲】
【請求項１】
ディスプレイ調光方法であって、
調整の必要があるディスプレイの輝度と対応する前記ディスプレイのパラメータ値を取得することと、
前記パラメータ値と設定された閾値とを比較して、比較結果に応じて対応する調光方法を選択し、前記ディスプレイに対し調光すること、を含むディスプレイ調光方法。
【請求項２】
前記ディスプレイは、薄膜トランジスタを用いて画素を駆動し、
そして、前記パラメータ値と設定された閾値とを比較して、比較結果に応じて対応する調光方法を選択し前記ディスプレイに対し調光することは、さらに
前記パラメータ値が対応される輝度は設定された閾値より低いと判定された場合、調光する際に前記ディスプレイの画素駆動回路が受信したデータ信号の電圧を変更しない第１調光方法で前記ディスプレイに対し調光することを含む、請求項１に記載の方法。
【請求項３】
前記パラメータ値と設定された閾値とを比較して、比較結果に応じて対応する調光方法を選択し前記ディスプレイに対し調光することは、さらに
前記パラメータ値が設定された閾値以上であると判定した場合、前記データ信号の電圧を調整することで調光する第２調光方法を利用して調光することを含む、請求項２に記載の方法。
【請求項４】
前記第２調光方法はソース調光方法である、請求項３に記載のディスプレイ調光方法。
【請求項５】
前記調光方法は、前記ディスプレイにおける各画素が１つのフレームに発光される時間を調整することにより調光する、請求項１から４の何れか１項に記載の方法。
【請求項６】
前記調光方法はＥＭ調光方法である、請求項５に記載の方法。
【請求項７】
前記パラメータ値は輝度値を含む、請求項１から４の何れか１項に記載の方法。
【請求項８】
前記設定された閾値は７０ニトから９０ニトまでの範囲にある、請求項７に記載の方法。
【請求項９】
ディスプレイ調光装置であって、
調整の必要があるディスプレイの輝度と対応する前記ディスプレイのパラメータ値を取得するパラメータ値取得モジュールと、
前記パラメータ値と設定された閾値とを比較して、比較結果に応じて対応する調光方法を選択し前記ディスプレイに対し調光する調光選択モジュールと、を含む、ディスプレイ調光装置。
【請求項１０】
前記ディスプレイは、薄膜トランジスタを用いて画素を駆動し、
前記調光選択モジュールは、
前記パラメータ値が対応される輝度は設定された閾値より低いと判定された場合、調光する際に前記ディスプレイの画素駆動回路が受信したデータ信号の電圧を変更しない第１調光方法で前記ディスプレイに対し調光するように構成される第１調光選択部、を含む、請求項９に記載のディスプレイ調光装置。
【請求項１１】
拡張駆動チップと前記ディスプレイとを含むデバイスであって、
前記拡張駆動チップは、プログラムを格納するメモリとプロセッサとを含み、前記プログラムが前記プロセッサで実行される際に、前記プロセッサが請求項１から８の何れか１項に記載のディスプレイ調光方法を実行される、デバイス。
【請求項１２】
プログラムを格納する記憶媒体であって、
当該プログラムがプロセッサで実行される際に、
調整の必要があるディスプレイの輝度と対応する前記ディスプレイのパラメータ値を取得するステップと、
前記パラメータ値と設定された閾値とを比較して、比較結果に応じて対応する調光方法を選択し前記ディスプレイに対し調光するステップとを含む、記憶媒体。
【発明の詳細な説明】
【技術分野】
【０００１】
本発明は、表示技術に関し、特にディスプレイ調光方法、装置、記憶媒体及びデバイスに関する。
【背景技術】
【０００２】
操舵室、航空デバイス、携帯デバイスのディスプレイなどの特殊な応用分野で、昼と夜とのどちらの場合でもディスプレイを快適に見るために、ディスプレイは良好な調光特性を備える必要がある。しかし、従来の調光技術は、調光する際に表示品質が低下される場合があるため、調光する際に表示品質に対する影響を低減するのは、解決すべき課題になっている。
【発明の概要】
【発明が解決しようとする課題】
【０００３】
ここで、上記問題に対し、ディスプレイ調光方法、装置、記憶媒体及びデバイスを提供する。
【課題を解決するための手段】
【０００４】
ディスプレイ調光方法であって、調整の必要があるディスプレイの輝度と対応する前記ディスプレイのパラメータ値を取得することと、前記パラメータ値と設定された閾値とを比較して、比較結果に応じて対応する調光方法を選択し前記ディスプレイに対し調光すること、を含むディスプレイ調光方法である。
【０００５】
一実施例において、前記ディスプレイは、薄膜トランジスタを用いて画素を駆動する。そして、前記パラメータ値と設定された閾値とを比較して、比較結果に応じて対応する調光方法を選択し前記ディスプレイに対し調光することは、さらに前記パラメータ値が対応される輝度は設定された閾値より低いと判定された場合、調光する際に前記ディスプレイの画素駆動回路が受信したデータ信号の電圧を変更しない第１調光方法で前記ディスプレイに対し調光することを含む。
【０００６】
一実施例において、前記パラメータ値と設定された閾値とを比較して、比較結果に応じて対応する調光方法を選択し前記ディスプレイに対し調光することは、さらに前記パラメータ値が設定された閾値以上であると判定された場合、前記データ信号の電圧を調整することで調光する第２調光方法を利用して調光することを含む。
【０００７】
一実施例において、前記第２調光方法はソース調光方法である。
【０００８】
一実施例において、前記第１調光方法は、ディスプレイにおける各画素が１つのフレームに発光される時間を調整することにより調光することである。
【０００９】
一実施例において、前記第１調光方法はＥＭ調光方法である。
【００１０】
一実施例において、前記パラメータ値は輝度値である。
【００１１】
一実施例において、前記設定された閾値は７０ニトから９０ニトまでの範囲にある。
【００１２】
ディスプレイ調光装置であって、調整の必要がある前記ディスプレイの輝度と対応する前記ディスプレイのパラメータ値を取得するパラメータ値取得モジュールと、前記パラメータ値と設定された閾値とを比較して、比較結果に応じて対応する調光方法を選択し前記ディスプレイに対し調光する調光選択モジュールと、を含む。
【００１３】
一実施例において、前記ディスプレイは、薄膜トランジスタを用いて画素を駆動する。そして、前記調光選択モジュールは、前記パラメータ値が対応される輝度は設定された閾値より低いと判定された場合、調光する際に前記ディスプレイの画素駆動回路が受信したデータ信号の電圧を変更しない第１調光方法で前記ディスプレイに対し調光するように構成される第１調光選択部、を含む。
【００１４】
プログラムを格納する記憶媒体であって、当該プログラムがプロセッサで実行される際に、調整の必要があるディスプレイの輝度と対応する前記ディスプレイのパラメータ値を取得することと、前記パラメータ値と設定された閾値とを比較して、比較結果に応じて対応する調光方法を選択し前記ディスプレイに対し調光すること、を含むディスプレイ調光方法である。
【００１５】
拡張駆動チップとディスプレイとを含むデバイスであって、前記拡張駆動チップは、プログラムを格納するメモリとプロセッサとを含み、前記プログラムが前記プロセッサで実行される際に、以下のように調整の必要があるディスプレイの輝度と対応する前記ディスプレイのパラメータ値を取得することと、前記パラメータ値と設定された閾値とを比較して、比較結果に応じて対応する調光方法を選択し前記ディスプレイに対し調光すること、を含むディスプレイ調光方法である。
【発明の効果】
【００１６】
上記のディスプレイ調光方法、装置、記憶媒体及びデバイスにおいて、調整の必要があるディスプレイのパラメータ値を取得した後、当該パラメータ値と設定された閾値とを比較して、比較結果に応じて対応する調光方法を選択しディスプレイに対し調光する。それぞれの調光方法ごとは、異なる輝度において異なる効果を持つから、１つの調光方法を選択すると、輝度範囲は当該調光方法の効果が良くないになる場合、表示品質を低下させる可能性がある。このため、本願のディスプレイ調光方法において、比較結果に応じて対応する調光方法を選択するによれば、１つの調光方法のみを選択できる調光方法による上述欠陥を改善することができ、さらに調光する際に表示品質に対する影響を低減することができる。
【図面の簡単な説明】
【００１７】
本発明の実施例または従来技術による技術案をより明らかに説明するために、実施例または従来技術を記述するのに必要な図面を簡単に説明する。後述する図面は本発明の実施例に過ぎず、当業者として創造的な努力を必要とせずに、これらの図面に基づいて他の実施例の図面を得られることが明らかである。
【図１】一実施形態が提供するディスプレイ調光方法のフローチャートである。
【図２】図１に示される実施形態に係るディスプレイ調光方法における１つの実施例の具体的なフローチャートである。
【図３】図１に示される実施形態に係る画素駆動回路における１つの実施例の回路図である。
【図４】図１に示される実施形態に係るディスプレイ調光方法における他の実施例のフローチャートである。
【図５】他の実施形態が提供するディスプレイ調光装置のブロック図である。
【発明を実施するための形態】
【００１８】
以下、本発明を容易に理解するために、図面を参照しながら本発明をさらに詳しく説明する。図面には、本発明の最適な実施例が示されている。しかし、本発明は様々な形で実現でき、本明細書で記述される実施例に限らない。その一方で、これらの実施例を挙げる目的は、本発明の開示をさらに徹底的かつ完全に理解することである。
【００１９】
特に定義しない限り、本明細書中にて使用されるすべての技術用語および科学用語は、本考案の技術分野の当業者一般に理解されている意味とする。本明細書で使用される用語は、具体的な実施形態を説明するためのものであり、本発明を限定するものではない。本明細書で使用された用語「及び／又は」は、挙げられた一或いは複数の関連項目の任意な、あらゆる組み合わせを含む。
【００２０】
一実施形態は、ディスプレイを制御する拡張駆動チップで実行するディスプレイ調光方法を提供する。具体的には、ディスプレイにおいて、薄膜トランジスタを用いて画素を駆動してもよい。具体的には、ディスプレイは、例えば、画素マトリクスと、行駆動回路と、列駆動回路とを含んでもよい。画素マトリクスは、複数の画素と複数の画素駆動回路とを含み、各画素ごとに一つの画素駆動回路を制御する。行駆動回路は、行（走査）アドレスバスを介して各画素駆動回路に走査信号を送信する。列駆動回路は、列（データ）アドレスバスを介して各画素駆動回路にデータ信号を送信する。拡張駆動チップは、行駆動回路及び列駆動回路にそれぞれで電気接続され、ディスプレイ全体のデータ処理と伝送、及び制御信号の送信など機能としている。拡張駆動チップは、例えば、シングルチップマイクロコンピュータ（又はＦＰＧＡ）及び周辺回路で構成される。
【００２１】
図１を参照すると、本実施形態によって提供されるディスプレイ調光方法は、以下の内容を含む。
【００２２】
ステップＳ１００：調整の必要があるディスプレイのパラメータ値を取得する。ここで、パラメータ値は、ディスプレイの輝度に対応する。ここで、調整の必要があるディスプレイのパラメータ値とは、ディスプレイのパラメータをこのパラメータ値までに調整してほしいとするパラメータ値である。パラメータ値はディスプレイの輝度に対応するとは、輝度が変化するにしたがって当該パラメータ値も変化することを意味する。パラメータ値は、例えば、輝度値、電圧値、電流値及び階調値であってもよい。当該パラメータ値は、ユーザが当該ディスプレイを装置したデバイスの対話型インターフェイスを介して設置されることができて、設置完了後、さらにデバイスのＣＰＵで上記パラメータ値を上記拡張駆動チップに送信されることができる。或いは、調整の必要があるパラメータ値は、ＣＰＵ又は上記拡張駆動チップで自動的に生成されてもよい（すなわち、自動調光機能が備えられることである）。例えば、パラメータ値を輝度値にすると、周辺光度を検知する光センサを設置し、ＣＰＵ又は上記拡張駆動チップが、当該光センサで検出された光度に基づいて対応的に適度な輝度値を生成され、さらに当該輝度値をマラメータ値としてもよい。
【００２３】
ステップＳ２００：パラメータ値と設定された閾値とを比較し、比較結果に応じて対応する調光方法を選択しディスプレイに対し調光する。このステップにおいて、比較結果が異なる場合、異なる調光方法を選択することができる。例えば、パラメータ値が幾つの範囲にいずれかの範囲にある場合、他の範囲に対し最優な調光効果がある調光方法を選択する。例を挙げると、第１調光方法は、パラメータ値が第１の範囲にある場合に表示品質に対する影響は、パラメータ値が第２の範囲にある場合に表示品質に対する影響より低い一方、第２調光方法は、パラメータ値が上記第２の範囲にある場合に表示品質に対する影響は、パラメータ値が上記第１の範囲にある場合に表示品質に対する影響より低いにすると、パラメータ値が第１の範囲にあると判定された場合、上記第１調光方法を用いて調光し、パラメータ値が第２の範囲にあると判定された場合、上記第２調光方法を用いて調光することによって、調光する際に表示品質を向上させる。
【００２４】
それぞれの調光方法ごとは、異なる輝度において異なる効果を持つから、１つの調光方法を選択すると、輝度範囲は当該調光方法の効果が良くないになる場合、表示品質を低下させる可能性がある。このため、本願のディスプレイ調光方法において、比較結果に応じて対応する調光方法を選択するによれば、１つの調光方法のみを選択できる調光方法による上述欠陥を改善することができ、さらに調光する際に表示品質に対する影響を低減することができる。
【００２５】
一実施例において、上記のディスプレイは、薄膜トランジスタ（ＴＦＴ、Ｔｈｉｎ  Ｆｉｌｍ  Ｔｒａｎｓｉｓｔｏｒ）を用いて画素を駆動する。そして、図２を参照すると、上記のステップＳ２００は、以下の内容を含む。
【００２６】
ステップＳ２１０：パラメータ値が対応される輝度は設定された閾値より低いと判定された場合、調光する際にディスプレイの画素駆動回路が受信したデータ信号の電圧を変更しない第１調光方法でディスプレイに対し調光する。ここで、設定された閾値は例えば７０ニトから９０ニトまでの範囲にいる。設定された閾値は８０ニトであってもよい。画素駆動回路その一つの態様は、図３に示されている。当該画素駆動回路にＴＦＴトランジスタＴ１と、ＴＦＴトランジスタＴ２と、ＴＦＴトランジスタＴ３と、コンデンサＣ１と、画素Ｄ１を含む。ここで、ＴＦＴトランジスタＴ１のゲート端子及びドレイン端子は、それぞれに行アドレスバス及び列アドレスバスに接続されている。さらに、ＴＦＴトランジスタＴ１のゲート端子及びドレインそれぞれが受信する信号は、走査信号（Ｖｓｃａｎ）とデータ信号（Ｖｄａｔａ）である。したがって、図３に示される実施例において、第１調光方法は、調光する際にＴＦＴトランジスタＴ１のドレイン端子が受信するデータ信号の電圧を変更しなく、当該画素駆動回路における他のデバイスの入力信号を変化して調光することである。
【００２７】
調光する際に、データ信号の電圧を変化するより調光するという方法で、調整の必要がある輝度値が低いほどデータ信号の電圧を増加する必要があるから、ＴＦＴトランジスタの特性の偏りが増大し、ディスプレイにおいて行方向の輝度が不均一という現象の発生可能性がある。したがって、本実施例において、調整の必要があるパラメータ値が対応される輝度は設定された閾値より低い場合に、データ信号の電圧を変更する方法でなく他の方法で調光する第１調光方法を採用することにより、ＴＦＴトランジスタの特性の偏りが増大してディスプレイにおいて行方向の輝度が不均一という現象の発生を回避することができ、調光する際に表示品質に対する影響を更に低減することができる。
【００２８】
一実施例において、上記のステップＳ２００は、さらに上記パラメータ値が対応される輝度は設定された閾値以上であると判定された場合、第２調光方法を採用することを含む。この場合、図４に示されたように、上記実施例のステップＳ２１０と組み合わせる上記ステップＳ２００は、具体的には以下の内容を含む。
【００２９】
ステップＳ２１１：パラメータ値が対応される輝度は設定された閾値より低いか否かを判断され、ＹＥＳの場合ステップＳ２１２を実行し、ＮＯの場合ステップＳ２１３を実行する。
【００３０】
ステップＳ２１２：第１調光方法を採用する。
【００３１】
ステップＳ２１３：第２調光方法を採用する。ここで、第２調光方法は、データ信号の電圧を調整することで調光する。
【００３２】
よって、本実施例においては、高輝度と低輝度までに調整する場合に、異なる調光方法を採用することになる。すなわち、高輝度までに調整する場合に第２調光方法を採用し、低輝度までに調整する場合に第１調光方法を採用する。
【００３３】
ここで、第２調光方法は、例えば、ソース調光方法である。図３に示すように、画素Ｄ１において電流の算式は、
【数１】
2020507116.tif 000003
である。ここで、Ｉｏｌｅｄは画素Ｄ１に流れる電流であり、ｋは係数である。式（１）から分かるように、電源ＶＤＤ及びデータ信号（Ｖｄａｔａ）の電圧が、画素Ｄ１に流れる電流の大小を決定的な影響があるため、電源ＶＤＤをそのままにしでデータ信号（Ｖｄａｔａ）を調整すれば、画素Ｄ１に流れる電流を調整でき、よって輝度調整を実現できる。輝度が上昇する際に、データ信号（Ｖｄａｔａ）の電圧を減少すればよく、輝度が降下する際に、データ信号（Ｖｄａｔａ）の電圧を増加すればよい。
【００３４】
上記によれば、第２調光方法は、高輝度までに調整する際に、データ信号（Ｖｄａｔａ）の電圧を減少する必要があり、データ信号（Ｖｄａｔａ）の電圧が小さい時、ＴＦＴトランジスタの特性の偏りが小さい、無視できるようになる。一方、輝度を低く調整する際に、データ信号（Ｖｄａｔａ）の電圧を増加させる必要があり、調整される輝度値が低いほどデータ信号（Ｖｄａｔａ）の電圧を大きくする必要がある。データ信号（Ｖｄａｔａ）がより大きい時、ＴＦＴトランジスタの特性の偏りが大きくなるため、ディスプレイの行方向の輝度が不均一の現象や色点現象が発生する可能性がある。したがって、低輝度までに調整する必要がある場合、第２調光方法をそのまま利用すると、表示品質に影響がある。上記状況に基づいて、本実施例において、パラメータ値に対応する輝度を設定された閾値より低く調整する場合、第２調光方法が第１調光方法に切り替えられるより、ディスプレイの行方向の輝度不均一の現象の発生を回避できる。
【００３５】
具体的には、第１調光方法は、各画素が１つのフレームに発光される時間を調整することにより調光する。第１調光方法はＥＭ調光方法であってもよい。ここで、１つのフレームに発光される時間が減少するで、画素の輝度が低下できる。例えば、ＰＷＭ信号を利用して画素の発光時間を制御する場合、ＰＷＭ信号における有効レベル（例えばローレベルである）のデューティ比が減少するにより各画素が１つのフレームに発光される時間を減少でき、よって画素の輝度が低下できる。ここで、画素は有効レベルがなされる時のみに発光する。
【００３６】
次に、図３を例として第１調光方法の動作原理を説明する。第１調光方法を採用する場合、ＴＦＴトランジスタＴ３のゲート端子に印加されたＶｐｗｍ信号のデューティ比のみを調整して画素Ｄ１が１つのフレームに発光される時間を変更すれば、画素Ｄ１の輝度を調整できるから、データ信号（Ｖｄａｔａ）を変化する必要がない。
【００３７】
また、第１調光方法ではＰＷＭデューティ比を調整して調光する方法を利用すると、調光周波数が一定になっており、この場合、高輝度という条件で撮影のようにスクロール干渉という現象が発生することがある。したがって、本実施例において、調整の必要があるパラメータ値が設定された閾値より高い場合、第２調光方法を採用することにより、上述  した撮影のようにスクロール干渉という欠陥を回避でき、表示品質をさらに向上させることができる。
【００３８】
なお、図１、図２及び図４は、本発明の一実施例の方法のフローチャートの概略図である。当業者であれば分かるように、図１、図２及び図４のフローチャートの各ステップは矢印のように順番に示されるが、必ずしも矢印のように順番に実行される必要はない。本明細書で特に説明しない限り、上記手順の実行流れが限定されなく、他の順番で実行されてもよい。さらに、図１、図２及び図４のステップの少なくとも一部は、複数のサブステップ又は複数段階を含んでもよい。当該サブステップ又は段階は、必ずしも同じタイミングで実行されると限定されなく、異なるタイミングで実行されてもよい。さらに実行順番も、ある手順に限定されなく、他のステップ、他のステップにおけるサブステップ或は段階の少なくとも一部を交替で実行されてもよい。
【００３９】
図４に示されたように、本願の他の実施形態がディスプレイ調光装置を提供している。具体的に、調整の必要がある前記ディスプレイの輝度と対応する前記ディスプレイのパラメータ値を取得するパラメータ値取得モジュール１１０と、前記パラメータ値と設定された閾値とを比較して、比較結果に応じて対応する調光方法を選択し前記ディスプレイに対し調光する調光選択モジュール１２０と、を含む。
【００４０】
一実施例において、前記ディスプレイは、薄膜トランジスタを用いて画素を駆動する。そして、前記調光選択モジュール１２０は、前記パラメータ値が対応される輝度は設定された閾値より低いと判定された場合、調光する際に前記ディスプレイの画素駆動回路が受信したデータ信号の電圧を変更しない第１調光方法で前記ディスプレイに対し調光するように構成される第１調光選択部、を含む。
【００４１】
一実施例において、前記調光選択モジュール１２０は、前記パラメータ値が設定された閾値以上であると判定された場合、前記データ信号の電圧を調整することで調光する第２調光方法を利用して調光するように構成される第２調光選択部、を含む。
【００４２】
一実施例において、前記第１調光方法は、ディスプレイにおける各画素が１つのフレームに発光される時間を調整することにより調光することである。
【００４３】
一実施例において、前記パラメータ値は輝度値である。
【００４４】
一実施例において、前記設定された閾値は７０ニトから９０ニトまでの範囲にある。
【００４５】
ここで説明したいのは、本実施形態によって提供したディスプレイ調光装置が、上記実施形態のディスプレイ調光方法に対応しているため、詳細な説明を省略する。
【００４６】
他の実施形態において、記憶媒体を提供する。記憶媒体は、磁気ディスク、光ディスク、読出し専用メモリー（Ｒｅａｄ  Ｏｎｌｙ  Ｍｅｍｏｒｙ、ＲＯＭ）などであってもよい。記憶媒体にプログラムを格納して、当該プログラムがプロセッサで実行される際に、調整の必要があるディスプレイの輝度と対応する前記ディスプレイのパラメータ値を取得することと、前記パラメータ値と設定された閾値とを比較して、比較結果に応じて対応する調光方法を選択し前記ディスプレイに対し調光すること、を含むディスプレイ調光方法である。
【００４７】
ここで説明したいのは、本実施形態においてプロセッサで実行されたステップが、上記実施形態のディスプレイ調光方法に対応しているため、詳細な説明を省略する。
【００４８】
他の実施形態においてデバイスを提供する。デバイスとは、例えば携帯電話やコンピュータなどである。前記デバイスは、拡張駆動チップとディスプレイとを含み、前記拡張駆動チップは、プログラムを格納するメモリとプロセッサとを含み、前記プログラムが前記プロセッサで実行される際に、以下のように調整の必要があるディスプレイの輝度と対応する前記ディスプレイのパラメータ値を取得することと、前記パラメータ値と設定された閾値とを比較して、比較結果に応じて対応する調光方法を選択し前記ディスプレイに対し調光すること、を含むディスプレイ調光方法である。
【００４９】
ここで説明したいのは、本実施形態においてプロセッサで実行されたステップが、上記実施形態のディスプレイ調光方法に対応しているため、詳細な説明を省略する。
【００５０】
上述した実施例の各技術的特徴は任意に組み合わせることができる。記述の簡潔化のために、上述した実施例における各技術的特徴のあらゆる組合せについて説明していないが、これらの技術的特徴の組合せは矛盾しない限り、本明細書に記述されている範囲内であると考えられるべきである。
【００５１】
上述した実施例は、本発明のいくつかの実施形態を示したものにすぎず、その記述が具体的かつ詳細であるが、本発明の範囲を限定するものと解釈されるべきではない。なお、当業者にとって、本発明の趣旨から逸脱しないかぎり、若干の変形及び改良を行うことができ、これらもすべて本発明の保護範囲内にある。本発明の保護範囲は、特許請求の範囲に準ずるべきである。
【図１】
2020507116.tif 000004
【図２】
2020507116.tif 000005
【図３】
2020507116.tif 000006
【図４】
2020507116.tif 000007
【図５】
2020507116.tif 000008
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
ディスプレイ調光方法であって、
調整の必要があるディスプレイの輝度と対応する前記ディスプレイのパラメータ値を取得することと、
前記パラメータ値と設定された閾値とを比較して、比較結果に応じて対応する調光方法を選択し、前記ディスプレイに対し調光すること、を含むディスプレイ調光方法。
【請求項２】
前記ディスプレイは、薄膜トランジスタを用いて画素を駆動し、
そして、前記パラメータ値と設定された閾値とを比較して、比較結果に応じて対応する調光方法を選択し前記ディスプレイに対し調光することは、さらに
前記パラメータ値が対応される輝度は設定された閾値より低いと判定された場合、調光する際に前記ディスプレイの画素駆動回路が受信したデータ信号の電圧を変更しない第１調光方法で前記ディスプレイに対し調光すること、或いは、
前記パラメータ値が設定された閾値以上であると判定した場合、前記データ信号の電圧を調整することで調光する第２調光方法を利用して調光すること、を含む、ことを特徴とする請求項１に記載の方法。
【請求項３】
前記第２調光方法はソース調光方法である、ことを特徴とする請求項２に記載のディスプレイ調光方法。
【請求項４】
前記調光方法は、前記ディスプレイにおける各画素が１つのフレームに発光される時間を調整することにより調光する、ことを特徴とする請求項１から３の何れか１項に記載の方法。
【請求項５】
前記調光方法はＥＭ調光方法である、ことを特徴とする請求項４に記載の方法。
【請求項６】
前記パラメータ値は輝度値を含む、ことを特徴とする請求項１から３の何れか１項に記載の方法。
【請求項７】
ディスプレイ調光装置であって、
調整の必要があるディスプレイの輝度と対応する前記ディスプレイのパラメータ値を取得するパラメータ値取得モジュールと、
前記パラメータ値と設定された閾値とを比較して、比較結果に応じて対応する調光方法を選択し前記ディスプレイに対し調光する調光選択モジュールと、を含む、ディスプレイ調光装置。
【請求項８】
前記ディスプレイは、薄膜トランジスタを用いて画素を駆動し、
前記調光選択モジュールは、
前記パラメータ値が対応される輝度は設定された閾値より低いと判定された場合、調光する際に前記ディスプレイの画素駆動回路が受信したデータ信号の電圧を変更しない第１調光方法で前記ディスプレイに対し調光するように構成される第１調光選択部、を含む、ことを特徴とする請求項７に記載のディスプレイ調光装置。
【請求項９】
拡張駆動チップと前記ディスプレイとを含むデバイスであって、
前記拡張駆動チップは、プログラムを格納するメモリとプロセッサとを含み、前記プログラムが前記プロセッサで実行される際に、前記プロセッサが請求項１から６の何れか１項に記載のディスプレイ調光方法を実行される、デバイス。
【請求項１０】
プログラムを格納する記憶媒体であって、
当該プログラムがプロセッサで実行される際に、
調整の必要があるディスプレイの輝度と対応する前記ディスプレイのパラメータ値を取得するステップと、
前記パラメータ値と設定された閾値とを比較して、比較結果に応じて対応する調光方法を選択し前記ディスプレイに対し調光するステップとを含む、ことを特徴とする記憶媒体。
【国際調査報告】
2020507116.tif 000009
2020507116.tif 000010
2020507116.tif 000011
2020507116.tif 000012